(57)【要約】【課題】発光ダイオードランプの光を広範囲かつ均一に照射する、ＬＥＤランプ構造を提供する。【解決手段】ＬＥＤランプ構造は、発光ダイオード２、ベースボディ１、レンズカバー３、放熱フィン１３及び電源モジュール１２を備える。ベースボディ１は、円筒状を呈し、基板１１を介して形成された上下２つの空間を内部に有する。上端の空間内には、基板１１上に配設された発光ダイオード２が位置する。下端の空間内には、電源を供給する電源モジュール１２が収容される。ベースボディ１の上端には、レンズカバー３が連結固定される。放熱フィン１３は、ベースボディ１の外周に周設され、熱を伝導してベースボディ１に発生した熱を放熱する。レンズカバー３は、ベースボディ１及び発光ダイオード２の上端に配設され、全体が透明材料からなり、レンズカバー３が適宜な高さを有し、レンズカバー３の前端に設けた集光鏡はフレネルレンズ３１である。【選択図】図１
0003204933.tif 000002
【実用新案登録請求の範囲】
【請求項１】
発光ダイオード、ベースボディ、レンズカバー、放熱フィン及び電源モジュールを備えたＬＥＤランプ構造であって、
前記ベースボディは、円筒状を呈し、基板を介して形成された上下２つの空間を内部に有し、上端の空間内には、前記基板上に配設された前記発光ダイオードが位置し、下端の空間内には、電源を供給する前記電源モジュールが収容され、前記ベースボディの上端には、前記レンズカバーが連結固定され、
前記放熱フィンは、前記ベースボディの外周に周設され、熱を伝導して前記ベースボディに発生した熱を放熱し、
前記レンズカバーは、前記ベースボディ及び前記発光ダイオードの上端に配設され、全体が透明材料からなり、前記レンズカバーが適宜な高さを有し、前記レンズカバーの前端に設けた集光鏡はフレネルレンズであることを特徴とするＬＥＤランプ構造。
【請求項２】
前記ベースボディと前記レンズカバーとの間には、密封パッドが配設され、
前記密封パッドは、リング状を呈して前記ベースボディ上に配設されることを特徴とする請求項１に記載のＬＥＤランプ構造。
【請求項３】
前記レンズカバーは、有色材料からなることを特徴とする請求項１に記載のＬＥＤランプ構造。
【請求項４】
前記ベースボディの上端には、固定ねじにより螺着される方式により前記レンズカバーが連結固定されることを特徴とする請求項１に記載のＬＥＤランプ構造。
【請求項５】
前記ベースボディの上端には、互いに対応するねじ部により螺着される方式により前記レンズカバーが連結固定されることを特徴とする請求項１に記載のＬＥＤランプ構造。
【請求項６】
前記ベースボディの上端には、押圧係合により嵌着される方式により前記レンズカバーが連結固定されることを特徴とする請求項１に記載のＬＥＤランプ構造。
【考案の詳細な説明】
【技術分野】
【０００１】
本考案は、ＬＥＤランプ構造に関するものであり、さらに詳しくは、レンズカバーが透明材料からなり、レンズカバーの前端部に設けた集光鏡がフレネルレンズ（Ｆｒｅｓｎｅｌ  ｌｅｎｓ）であり、透明材料からなるレンズカバーによりＬＥＤランプの照明効果を高め、ＬＥＤランプ全体の使用効率を高める、ＬＥＤランプ構造に関するものである。
【背景技術】
【０００２】
発光ダイオード（Ｌｉｇｈｔ  Ｅｍｉｔｔｉｎｇ  Ｄｉｏｄｅ：ＬＥＤ）は、小型、低消費電力、高効率、高耐久性などの長所を有するため、照明ランプなどの関連分野で広く利用され、近年、発光ダイオードが積極的に研究開発されて照明装置に応用されているが、従来、発光ダイオードの発光強度には限界があり、光には指向性があるという問題点があるため、照明装置の応用設計には依然として多くの課題があり、一般にメーカーは、照明装置のハウジングの構造及び反射性を改良することにより、ＬＥＤランプ全体の使用効率を向上するが、多くの欠点もあった。
【０００３】
発光ダイオードの光には指向性があり、一つだけでは明るさが十分でない虞があるため、適宜な照明装置本体を組み合わせ、多数のＬＥＤランプの光源を利用し、光を集光して遠くまで照射していた。しかし、実際の応用では（例えば、室内照明、漁船照明、街路灯など）光を広範囲かつ均一に照射することが求められていた。
【考案の概要】
【考案が解決しようとする課題】
【０００４】
本考案の第一の課題は、発光ダイオードランプの光を広範囲かつ均一に照射し、室内照明、漁船照明、街路灯などに応用することができる、ＬＥＤランプ構造を提供することにある。
本考案の第二の課題は、ＬＥＤランプの内部に水分が侵入することを防ぐことができる、ＬＥＤランプ構造を提供することにある。
【課題を解決するための手段】
【０００５】
そこで、本考案者は、前記の本考案の課題を解決するため鋭意検討を重ねた結果、第一の課題に関しては、発光ダイオード、ベースボディ、レンズカバー、放熱フィン及び電源モジュールからなり、レンズカバー前端に設けた集光鏡をフレネルレンズとし、モジュールカバーとして透明材料を用いることにより、また、第二の課題に関しては、集光鏡を平面状のフレネルレンズとし、ベースボディとレンズカバーとの結合場所に密封パッドを固着させることにより、それぞれ前記課題を達成できることに着目し、本考案に想到するに至った。
すなわち、本考案の主な目的は、発光ダイオード、ベースボディ、レンズカバー、放熱フィン及び電源モジュールを含み、レンズカバー前端に設けた集光鏡がフレネルレンズであり、透明材料からなるレンズカバーにより発光ダイオードランプの光を広範囲かつ均一に照射し、室内照明、漁船照明、街路灯などに応用することができる、ＬＥＤランプ構造を提供することにある。
本考案の第二の目的は、集光鏡が平面状のフレネルレンズであり、ベースボディとレンズカバーとが結合される箇所に密封パッドが設置され、ＬＥＤランプの内部に水分が侵入することを防ぐことができる、ＬＥＤランプ構造を提供することにある。
かくして、本考案の要旨は次の通りである。
【０００６】
（１）発光ダイオード、ベースボディ、レンズカバー、放熱フィン及び電源モジュールを備えたＬＥＤランプ構造であって、
前記ベースボディは、円筒状を呈し、基板を介して形成された上下２つの空間を内部に有し、上端の空間内には、前記基板上に配設された前記発光ダイオードが位置し、下端の空間内には、電源を供給する前記電源モジュールが収容され、前記ベースボディの上端には、前記レンズカバーが連結固定され、
前記放熱フィンは、前記ベースボディの外周に周設され、熱を伝導して前記ベースボディに発生した熱を放熱し、
前記レンズカバーは、前記ベースボディ及び前記発光ダイオードの上端に配設され、全体が透明材料からなり、前記レンズカバーが適宜な高さを有し、前記レンズカバーの前端に設けた集光鏡はフレネルレンズであることを特徴とするＬＥＤランプ構造。
【０００７】
（２）前記ベースボディと前記レンズカバーとの間には、密封パッドが配設され、
前記密封パッドは、リング状を呈して前記ベースボディ上に配設されることを特徴とする請求項１に記載のＬＥＤランプ構造。
【０００８】
（３）前記レンズカバーは、有色材料からなることを特徴とする請求項１に記載のＬＥＤランプ構造。
【０００９】
（４）前記ベースボディの上端には、固定ねじにより螺着される方式により前記レンズカバーが連結固定されることを特徴とする請求項１に記載のＬＥＤランプ構造。
【００１０】
（５）前記ベースボディの上端には、互いに対応するねじ部により螺着される方式により前記レンズカバーが連結固定されることを特徴とする請求項１に記載のＬＥＤランプ構造。
【００１１】
（６）前記ベースボディの上端には、押圧係合により嵌着される方式により前記レンズカバーが連結固定されることを特徴とする請求項１に記載のＬＥＤランプ構造。
【考案の効果】
【００１２】
本考案は、前記の通りの構成からなり、ＬＥＤランプの集光効率が著しく向上し、広範囲かつ均一に光を照射することができ、室内照明、街路灯等各種用途に広く採用することができる。
【図面の簡単な説明】
【００１３】
【図１】図１は、本考案の一実施形態に係るＬＥＤランプ構造を示す説明図である。
【図２】図２は、本考案の一実施形態に係るＬＥＤランプ構造を示す分解正面図である。
【図３】図３は、本考案の他の実施形態に係るＬＥＤランプ構造を示す説明図である。
【図４】図４は、本考案の他の実施形態に係るＬＥＤランプ構造を示す斜視図である。
【考案を実施するための形態】
【００１４】
図１及び図２を参照する。図１及び図２に示すように、本考案の一実施形態に係るＬＥＤランプ構造は、少なくとも発光ダイオード２、ベースボディ１、レンズカバー３、放熱フィン１３、密封パッド４及び電源モジュール１２から構成されてなる。
【００１５】
ベースボディ１は、円筒状を呈し、基板１１を介して上下２つの空間が内部に形成され、上端の空間内には、基板１１上に配設された発光ダイオード２が位置し、下端の空間内には、電源を供給する電源モジュール１２が収容される。ベースボディ１の上端には、固定ねじ５により螺着されるか、互いに対応するねじ部により螺着されるか、押圧係合により嵌着される方式により、レンズカバー３が連結固定される。
【００１６】
密封パッド４は、リング状を呈し、ベースボディ１とレンズカバー３とが結合される箇所に配設されてもよい。
【００１７】
放熱フィン１３は、ベースボディ１の外周に周設され、熱を伝導してベースボディ１に発生した熱を放熱する。
【００１８】
レンズカバー３は、ベースボディ１及び発光ダイオード２の上端に設置され、全体が透明材料からなり、レンズカバー３が適宜な高さを有し、レンズカバー３の前端に設けた集光鏡は、フレネルレンズ（Ｆｒｅｓｎｅｌ  ｌｅｎｓ）３１でもよい。
【００１９】
本考案は、ベースボディ１とレンズカバー３とが結合される箇所に密封パッド４が設置され、ＬＥＤランプの内部に水分が侵入することを防ぎ、ランプが吸湿することを効果的に防ぐことができる。
【００２０】
上述した構成により、本考案のＬＥＤランプ構造は、透明材料からなる上、レンズカバー３が適宜な高さで突出されているため、ＬＥＤランプ内に設けられた発光ダイオード２が発光すると、光が広範囲かつ均一に照射され、室内照明、漁船照明、街路灯などに応用することができる。
【００２１】
また、本考案のＬＥＤランプ構造のレンズカバー３は、透明材料又は有色材料からなってもよい。レンズカバー３の色には、様々なニーズを満たすことができるように、白色、赤色、黄色、青色、緑色、紫色などが採用され、様々な色の照明効果を得てもよい。
【００２２】
図３に示すように、本考案の他の実施形態に係るＬＥＤランプ構造のベースボディ１は、内部の基板１１の構造が上端に直接設けられ、電源モジュール１２を収容する内部の一空間のみが形成され、上端には基板１１上に配設された発光ダイオード２が位置する。
【００２３】
図４に示すように、本考案の他の実施形態に係るＬＥＤランプ構造を街路灯ランプ６に応用すると、ＬＥＤランプの集光効果が高まり、広範囲かつ均一に光を照射し、暗い場所や広い場所で使用するのに適する。
【符号の説明】
【００２４】
１  ベースボディ
２  発光ダイオード
３  レンズカバー
４  密封パッド
５  固定ねじ
６  街路灯ランプ
１１  基板
１２  電源モジュール
１３  放熱フィン
３１  フレネルレンズ
【図１】
0003204933.tif 000003
【図２】
0003204933.tif 000004
【図３】
0003204933.tif 000005
【図４】
0003204933.tif 000006